(57)【要約】【課題】  歯、歯牙、歯茎の検査には電光付き歯鏡と共に、透過光法用のＬＥＤイルミネーターがあれば便利である。【解決手段】  ＬＥＤイルミネーターの外形に合わせた形に透明部材で歯鏡本体を型成し、且つ該歯鏡の握り柄の一部に脱着部を設け、且つ握り柄の後部にスイッチボタンを外部に出させる穴を設け、且つ該歯鏡の鏡保持柄の下部に幅広の基盤部を設け、該基盤部の先端部すなわち鏡保持柄の先端下部に鏡部を取り付け、該鏡保持柄の最先端中空部にＬＥＤアームのＬＥＤを位置させて歯鏡本体内にＬＥＤイルミネーターを内蔵し、歯鏡本体から照明部であるＬＥＤイルミネーターを前期脱着部より取り出せる方式としたＬＥＤイルミネーター兼用電光付き歯鏡。【選択図】  図２
0003101790.tif 000002
【実用新案登録請求の範囲】
【請求項１】
ＬＥＤアーム、イルミネーター本体からなるペンライト型のＬＥＤイルミネーターを照明部とした電光付き歯鏡に於いて、ＬＥＤイルミネーターの外形に合わせた形に透明部材で歯鏡本体１を型成し、且つ該歯鏡本体の握り柄１ａの一部に脱着部１９を設け、且つ該握り柄の後部にスイッチボタンを外部に出させる穴３１を設け、且つ該歯鏡本体の中空とした鏡保持柄２の下部に幅広の基盤部１８を設け、該基盤部の先端部すなわち鏡保持柄の先端下部の基盤突部３２に鏡部２５を取り付け、該鏡保持柄の最先端中空部１５にＬＥＤアーム４のＬＥＤ５を位置させて歯鏡本体内にＬＥＤイルミネーターを内蔵し、防水型とした歯鏡本体から照明部であるＬＥＤイルミネーターを前記脱着部より取り出せる方式としたＬＥＤイルミネーター兼用電光付き歯鏡。
【請求項２】
ＬＥＤイルミネーターのＬＥＤアーム４ｂの基端部１７を幅広２１（部）に開口させ、該ＬＥＤアームの基端部をイルミネーター本体３に直接取り付け、該ＬＥＤアームの先端下部にＬＥＤの発光体の最上部２２から発せられる光の中で鏡２３の下端部２３ａから鏡面に入射する光の鏡面に対する入射角度の最大値が９０度前後の高角度になる様に鏡保持杆２４を介して鏡部２５を直接取り付け、該鏡部付きＬＥＤアームとイルミネーター本体を脱着方式としたＬＥＤイルミネーター兼用電光付き歯鏡。
【請求項３】
幅広に形成した鏡保持杆２４ａを介して鏡部２５を中空管２６に取り付け、該中空管の内壁に左右方向の滑り防止用の溝２６ａを内壁の一端から他端に貫かせて設け、イルミネーター本体３の外壁の縦方向には前記溝に係合させる突部３ａを設け、該中空管をイルミネーター本体にスライダー方式に挿着し、ＬＥＤアーム４とイルミネーター本体を脱着方式としたＬＥＤイルミネーター兼用電光付き歯鏡。
【請求項４】
ペンライト３０の外形に合わせた形に歯鏡の握り柄１ｂを型成し、且つ握り柄の少なくとも先端部１６ａは透明部材で型成し、該握り柄の一部に脱着部１９を型成し、該握り柄内にペンライトを照明部として内蔵し、該握り柄の先端下部に幅広の鏡保持杆２４ｂを介して鏡部を取り付け、防水型とした歯鏡本体とペンライトを脱着方式としたペンライト兼用電光付き歯鏡。
【考案の詳細な説明】
【考案の詳細な説明】
【技術分野】
【０００１】  本考案は、携帯用のＬＥＤイルミネーター兼用電光付き歯鏡に関するものである。
【背景技術】
【０００２】  従来、歯鏡本体とその照明部を脱着方式とした公報として、実公昭和５７−６２４２があるが、電球を鏡面に押し当てているので、鏡面に高角度で入射する光が失われ、鏡面上の光の死角域の面積が大きくなる。また、光源部が白熱球で露出している場合、電球の割れ、脱落等の安全性、発熱による火傷、等で問題がある。また、ＬＥＤと違って白熱球をイルミネーターとして使用する場合、白熱球光は歯の表面での光りの乱反射が大きく、歯牙の透過には向かない。
【考案が解決しようとする課題】
【０００３】  歯の表面、透き間等に異常らしきものを発見した場合、光源部を歯に近づけて、その歯の表面に強い光りを当て、歯牙の透過光法を行い、虫歯の兆候の早期発見で、それを虫歯とさせない為にも、それが唯単なる歯の表面の汚れか、虫歯の兆候かを確認する必要がある。また、虫歯を治療した部分の虫歯の再発の確認、虫歯の進行具合の確認等、電光付き歯鏡と共に一般向けの歯の透過光法用のＬＥＤイルミネーターが必要となる。異例として、狭い奥に物がはいり込んだ場合、喉の奥、鼻穴の中を照らす場合なぞ、狭い奥、光の色が黄色過ぎる等ペンライトでは補いきれない時、ＬＥＤイルミネーターがあれば便利である。
【課題を解決するための手段】
【０００４】  上記目的を達成する為に、ペンライト型のＬＥＤイルミネーターと歯鏡が一体となった電光付き歯鏡を、当方考案の特公平１５−３４０４５９０の電光付き歯鏡をモデルに考案した。尚、ＬＥＤイルミネーターのＬＥＤアームは、ＬＥＤの外形に合わせて可能な限り細くしたリード管の先端内部に、歯の表面に於いて乱反射が少なく、且つ透過性があり、光束に前方への指向性があり、更に発熱の小さな４．５Ｖ用の白色光のＬＥＤ（３．６Ｖ）を内設している。すなわち、適宜の長さのＬＥＤアームを有するＬＥＤイルミネーターの外形に合わせた形に透明部材で歯鏡本体を型成し、且つ該歯鏡本体の握り柄の一部にゴムパッキンで防水型とした脱着部を設け、且つ該握り柄の後部にスイッチボタンを外部に出させる穴を設け、且つ該歯鏡本体の鏡を保持する鏡保持柄の基盤部は上顎の奥歯の側面を検歯する場合、通常の鏡保持柄の太さでは唇が鏡面を覆い隠すので、鏡面上への唇の降下を防ぐ為に幅広に型成し、該基盤部の先端部すなわち鏡保持柄の先端下部の基盤突部に鏡部を取り付け、該鏡保持柄の最先端中空部にＬＥＤアームのＬＥＤを位置させて、歯鏡本体内にＬＥＤイルミネーターを内蔵し（スイッチボタンは歯鏡本体の後部より外部に飛び出している。）、歯鏡を洗浄する際の歯鏡内部への水の侵入を防ぐ為に安全防水型とした歯鏡本体から、歯牙透過用のＬＥＤイルミネーターである照明部を取り出せる方式とした、ＬＥＤイルミネーター兼用電光付き歯鏡である。検歯の時、歯又は歯茎に異常を発見した場合、脱着式にした歯鏡本体部分を外して、ＬＥＤイルミネーターを取り出し、その歯の位置に合った長さ、形のＬＥＤアームと交換して、入念にその歯を検歯する。
【０００５】  また、ＬＥＤアームの先端下部に鏡部を直接付けたタイプも考えられる。即ちＬＥＤイルミネーターのＬＥＤアームの基端部を幅広に開口させ、該ＬＥＤアームの基端部をイルミネーター本体に、ゴムパッキンで防水型にして螺合（らごう）させて直接取り付け、該ＬＥＤアームの先端部下部に、ＬＥＤの発光体の最上部から発せられる光の中で、鏡の下端部から鏡面に入射する光の、鏡面に対する入射角度の最大値が、９０度前後の高角度になる様に、鏡保持杆を介して鏡部を直接取り付け、該鏡部付きＬＥＤアームと、イルミネーター本体を、脱着方式とした電光付き歯鏡である。ＬＥＤの直径は４ミリと小さく、ＬＥＤの先端部が鏡面に映りにくい。また、その光束に前方への指向性があり、鏡面に映るＬＥＤの直接光が目にはいりにくいので、ＬＥＤを光源とした場合、ＬＥＤの光束の拡大光の鏡下端面への入射角度を、鏡面に対して９０度前後にすることが可能であり、鏡面を暗くする光の死角域をゼロにすることができる。歯、歯茎に異常を発見した時、又は虫歯等の進行具合を確認したい時に、鏡付きＬＥＤアームをイルミネーター本体（歯鏡本体をＬＥＤイルミネーターとして使用する為には、電源に４．５Ｖが必要）から取り外し、適宜の請求項１のＬＥＤアーム（図６の（１）ホルダー付き）と交換し、ＬＥＤイルミネーターとして使用する、ＬＥＤアームの基端部を幅広に開口させ、該ＬＥＤアームの基端部を、イルミネーター本体にゴミパッキンで防水して螺合させて直接取り付けた場合、請求項１の様にＬＥＤアームをＬＥＤアームホルダーに取り付けた場合と違って、ＬＥＤアーム自体がリード線の役目を果たすので、ＬＥＤアームホルダーにピン穴、ＬＥＤアーム用の穴を設ける必要がなく、防水面での問題が無くなる。
【０００６】  また、鏡部を中空管又はＵ字管に付け、この中空管又はＵ字管をＬＥＤイルミネーターのＬＥＤアーム又はＬＥＤイルミネーターの本体に挿着するタイプも考えられる。  即ち、幅広に形成した鏡保持杆を介して鏡部を中空管に取り付け、該中空管の内壁部にイルミネーターの本体外壁部に設けた左右方向への滑り止め用の突部に対向した溝を設け、該中空管をイルミネーター本体にスライダー式に挿着し、鏡部及びＬＥＤアームとイルミネーター本体を脱着方式とした電光付き歯鏡である。横滑りを防ぐ為の溝部が設けられたスライダー式の中空管をイルミネーター本体から取り外した後、そのままの状態でＬＥＤイルミネーターとして使用するか、図６の（２）の様なロング形のＬＥＤアームと交換してＬＥＤイルミネーターとして使用するＬＥＤイルミネーター兼用電光付き歯鏡である。
【０００７】  また、歯鏡本体と照明部を脱着方式とした他のタイプとして、照明部にペンライトを用いた防水型の電光付き歯鏡が考えられる。このタイプは検歯時以外は歯鏡本体からペンライトを外して、通常のペンライトとして利用する。即ち、ペンライトの外形に合わせた形に、歯鏡の握り柄を型成し、且つ握り柄の少なくとも先端部は透明部材で形成し、該握り柄の一部に脱着部を形成し、該握り柄内にペンライトを照明部として内蔵し、該握り柄の先端下部に幅広の鏡保持杆を介して所定の角度で鏡部を取り付け、防水型とした歯鏡本体とペンライトを脱着方式としたペンライト兼用電光付き歯鏡である。
【考案を実施するための最良の形態】
【０００８】  考案の実施の形態について図面を参照して説明する。
図１、２及び６に於いて、照明部として、内設するＬＥＤの幅に合わせて可能な限り細くしたＬＥＤの＋側のリード部を成すリード管４ａの先端部に、ＬＥＤ５を防水材２８で固定して内設し、該リード管の後端部にリード管の管壁と絶縁材１４で隔てて、電池Ａの＋部に接触させるリード棒９を内設し、同時にリード棒のＬＥＤ側中央部に設けた電極口９ａにＬＥＤの−側の電極７（−）をさし入れ、且つＬＥＤの＋側の電極７（＋）をリード棒の後端部の外壁でリード管壁に挟む形で押し当てて固定し、リード管の後部外壁の両側にはリード管をＬＥＤアームホルダー６に脱着自在に取り付けるピン止め用の溝８を設けて構成したＬＥＤアーム４と、該ＬＥＤアームを取り付けるＬＥＤアームホルダーの外周に設けたネジ部２０の切れ目に、ＬＥＤアームを取り付ける為のピン穴１０を、ＬＥＤアームホルダー本体を縦方向に貫いて二本設け、ＬＥＤアームをＬＥＤアームホルダーに差し入れ、ピン穴に門形の弾性ピン１１をＬＥＤアームに設けた溝を両側面から強く挟む形に差し通して、ＬＥＤアームをＬＥＤアームホルダーに取り付け、且つ弾性ピンの弾性を利用して、ＬＥＤアームを９０度ねじってＬＥＤアームホルダーからＬＥＤアームを外す為の内孔１２をＬＥＤアームホルダー内に設けて形成し、内孔の出口側にはＬＥＤアームホルダーの強度を保つ為の穴塞ぎ材１３を挿着し、イルミネーター本体３にＬＥＤアームホルダーを取り付けた時に、弾性ピンはイルミネーター本体の先端部の上下で押圧され、弾性ピンがＬＥＤアームとイルミネーター本体間のリード線の役目をするＬＥＤイルミネーターを、歯鏡の照明部として用いた。即ち、ＬＥＤアーム４、ＬＥＤアームホルダー１７、イルミネーター本体３、スイッチ部２９からなるＬＥＤイルミネーターの外形に合わせた形に透明部材で歯鏡本体１を型成し、且つ該歯鏡本体の本体後部よりスイッチボタン２９ａを外部に飛び出させ、且つ該歯鏡本体の握り柄１ａの一部にゴムパッキン２７で防水型とした脱着部１９を設け、且つ該握り柄の後部にスイッチボタンを外部に出させる穴３１を設け、且つ該歯鏡の鏡保持柄２の下部に幅広の基盤部１８を設け、該基盤部１８の先端部すなわち鏡保持柄２の先端下部の基盤突部３２に鏡部２５を取り付け、該鏡保持柄２の最先端中空部１５にＬＥＤアーム４のＬＥＤ５を位置させて歯鏡本体内にＬＥＤイルミネーターを内蔵したＬＥＤイルミネーター兼用電光付き歯鏡である。検歯の時、歯、歯茎に異常を発見した場合、脱着式にした歯鏡本体部分を外して、ＬＥＤイルミネーターを取り出し、その歯の位置、条件によって図６の（２）の様な、ロング形のＬＥＤアームと交換してＬＥＤイルミネーターとして使用する。【０００９】  図３に於いて、ＬＥＤイルミネーターのＬＥＤアームの基端部１７を幅広２１（部）に形成し、該ＬＥＤアーム４ｂの基端部をイルミネーター本体３に、ゴムパッキン２７で防水して螺合させ、該ＬＥＤアーム先端下部に、ＬＥＤの発光体の最上部２２から発せられる光の中で、鏡２３の下端部２３ａから鏡面に入射する光の、鏡面に対する入射角度の最大値が、９０度前後の高角度になる様に（図４で説明すれば、ＬＥＤの発光体２２から発せられる光の中で、鏡下端面に入射す���入射光ｈｉの入射角度が、鏡面に対して９０度の場合、その反射光ｈｉｉの反射角度も、鏡面に対して９０度となり双方は重なり合い、鏡面上の光の死角域の面積は０となる。ｈｉｉｉは通常の光束光の光路である。）鏡保持杆２４を介して鏡部２５を直接取り付け、該鏡部付きＬＥＤアームとイルミネーター本体を脱着方式にしたＬＥＤイルミネーター兼用電光付き歯鏡。【００１０】  図５に於いて、幅広に形成した鏡保持杆２４ａを介して中空管２６に鏡部２５を取り付け、該中空管の内壁に左右方向の滑り防止用の溝２６ａを内壁の一端から他端に貫かせて設け、イルミネーター本体３の外壁の縦方向には前記溝２６ａに係合させる突部３ａを設け、該中空管をイルミネーター本体３にスライダー方式に挿着し、鏡部及びＬＥＤアー厶４をイルミネーター本体から脱着方式とした電光付き歯鏡である。【００１１】  図７に於いて、ペンライトの外形に合わせた形に歯鏡の握り柄１ｂを型成し、且つ握り柄の少なくとも先端部１６ａは透明部材で形成し、該握り柄の一部に脱着部１９を形成し、該握り柄内にペンライト３０を照明部として内蔵し、該握り柄の先端下部に幅広の鏡保持杆２４ｂを介して鏡部２５を取り付け、防水型とした歯鏡本体とペンライトを脱着方式としたペンライト兼用電光付き歯鏡。
【考案の効果】
【００１２】  本考案は、上述のとおり構成されているので、次ぎに記載する効果を奏する。
【００１３】  ＬＥＤ光は発熱量が小さいので、光源部を口腔内に持ち込むタイプの歯鏡にＬＥＤを光源として用いる事に適している。
【００１４】  また、ＬＥＤ光は歯の表面に於ける光りの乱反射が少なく、歯の表面を鮮明に見る事ができるので、歯鏡の光源としてＬＥＤを用いる事に適している。
【００１５】  本考案の電光付き歯鏡は、歯鏡本体と照明部であるＬＥＤイルミネーターを脱着方式としたので、歯又は歯茎に異常を発見した場合に、直ちに歯鏡本体からＬＥＤイルミネーターを取り外して、歯の透過光法を行うことができる。また、歯、歯茎の異常部の位置によっては、ＬＥＤアー厶をＬＥＤアームホルダーから取り外して、適宜の代替え用のＬＥＤアームと交換することができる。
【図面の簡単な説明】
【図１】  本考案のＬＥＤイルミネーター兼用電光付き歯鏡の部分平面断面図である。
【図２】  本考案のＬＥＤイルミネーター兼用電光付き歯鏡の側面断面図である。
【図３】  ＬＥＤイルミネーター兼用電光付き歯鏡の一実施例の側面断面図である。
【図４】  鏡面に入射する光源光の入射角度の説明図。
【図５】  ＬＥＤイルミネーター兼用電光付き歯鏡の一実施例の側面図である。
【図６】  ＬＥＤアーム他、備品図である。
【図７】  ペンライト兼用電光付き歯鏡の側面断面図である。
【符号の説明】
１                  歯鏡本体
１ａ、１ｂ          握り柄
２                  鏡保持柄
３                  イルミネーター本体
３ａ                突部
４、４ｂ            ＬＥＤアーム
５                  ＬＥＤ
６                  ＬＥＤアームホルダー
１５                  中空
１６、１６ａ          先端部
１７                  基端部
１８                  基盤部
１９                  脱着部
２１                  幅広（部）
２２                  最上部
２３                  鏡
２３ａ                鏡下端部
２４、２４ａ、２４ｂ  鏡保持杆
２５                  鏡部
２６                  中空管
２６ａ                溝
３０                  ペンライト
３１                  穴
３２                  基盤突部
【図１】
0003101790.tif 000003
【図２】
0003101790.tif 000004
【図３】
0003101790.tif 000005
【図４】
0003101790.tif 000006
【図５】
0003101790.tif 000007
【図６】
0003101790.tif 000008
【図７】
0003101790.tif 000009